(57)【要約】【課題】デジタル無線局の識別を監視者が判断する従来の識別方法では、監視者に多大な負荷がかかり、識別結果が監視者の能力に依存する。また送信立ち上がり時の周波数揺らぎを使用して識別する方法では、通信中では識別を開始することができない。また、移動局の識別も困難である。【解決手段】識別器９はシンボルレート測定器７で測定された受信信号のシンボルレートとシンボルレートＤＢ８から得た既知のデジタル無線局のシンボルレートとの合致度を演算し、それにより受信信号の送信元のデジタル無線局を識別する。本発明は、デジタル無線局の同定にシンボルレートを用いることで、通信プロトコルの解明や音声デコード処理を行わなくても識別でき、監視者の能力に依存しない識別ができ、送信立ち上がり情報を使わないため、リアルタイム性に優れた識別ができる。移動局にも適用可能である。【選択図】図１
2008131220.tif 000002
【特許請求の範囲】
【請求項１】
無線信号を受信して得られる受信信号の送信元のデジタル無線局を識別するデジタル無線局識別方法において、
前記受信信号をＡ／Ｄ変換してデジタル複素包絡信号を生成する第１のステップと、
前記デジタル複素包絡信号を検波して検波信号に変換する第２のステップと、
前記検波信号に対してシンボル同期を行うことにより、シンボルクロックを再生する第３のステップと、
再生した前記シンボルクロックの周波数成分を求めることにより、前記受信信号のシンボルレートを測定する第４のステップと、
既知のデジタル無線局のシンボルレートが一又は二以上登録されているデータベースから得た既知のシンボルレートと、前記第４のステップで測定したシンボルレートとの合致度を演算して前記送信元のデジタル無線局を同定する第５のステップと
を含むことを特徴とするデジタル無線局識別方法。
【請求項２】
前記第４のステップで測定したシンボルレートが前記データベースに登録されていないときは、該測定したシンボルレートを前記データベースに登録する第６のステップを含むことを特徴とする請求項１記載のデジタル無線局識別方法。
【請求項３】
無線信号を受信して得られる受信信号の送信元のデジタル無線局を識別するデジタル無線局識別方法において、
前記受信信号をＡ／Ｄ変換してデジタル複素包絡信号を生成する第１のステップと、
前記デジタル複素包絡信号の変調方式を識別する第２のステップと、
前記デジタル複素包絡信号を前記第２のステップで識別した変調方式に対応した検波方式で検波して検波信号に変換する第２のステップと、
前記検波信号に対してシンボル同期を行うことにより、シンボルクロックを再生する第４のステップと、
再生した前記シンボルクロックの周波数成分を求めることにより、前記受信信号のシンボルレートを測定する第５のステップと、
既知のデジタル無線局のシンボルレートが変調方式と関連付けて一又は二以上登録されているデータベースから得た既知のシンボルレート及び変調方式と、前記第５のステップで測定したシンボルレートと前記第２のステップで識別した変調方式の２つの合致度を演算して前記送信元のデジタル無線局を同定する第６のステップと
を含むことを特徴とするデジタル無線局識別方法。
【請求項４】
無線信号を受信して得られる受信信号の送信元のデジタル無線局を識別するデジタル無線局識別装置において、
前記受信信号をＡ／Ｄ変換してデジタル複素包絡信号を生成するＡ／Ｄ変換手段と、
前記デジタル複素包絡信号を検波して検波信号に変換する検波手段と、
前記検波信号に対してシンボル同期を行うことにより、シンボルクロックを再生するシンボルクロック再生手段と、
再生した前記シンボルクロックの周波数成分を求めることにより、前記受信信号のシンボルレートを測定するシンボルレート測定手段と、
既知のデジタル無線局のシンボルレートが一又は二以上登録されているデータベースと、
前記データベースから得た既知のシンボルレートと、前記シンボルレート測定手段で測定したシンボルレートとの合致度を演算して前記送信元のデジタル無線局を同定する識別手段と
を有することを特徴とするデジタル無線局識別装置。
【請求項５】
前記識別手段は、前記シンボルレート測定手段で測定したシンボルレートが前記データベースから得られる既知のシンボルレートの中に存在しない時は、前記シンボルレート測定手段が測定したシンボルレートを前記データベースに登録させることを特徴とする請求項４記載のデジタル無線局識別装置。
【請求項６】
無線信号を受信して得られる受信信号の送信元のデジタル無線局を識別するデジタル無線局識別装置において、
前記受信信号をＡ／Ｄ変換してデジタル複素包絡信号を生成するＡ／Ｄ変換手段と、
前記デジタル複素包絡信号の変調方式を識別する変調方式識別手段と、
前記デジタル複素包絡信号を前記変調方式識別手段で識別した変調方式に対応した検波方式で検波して検波信号に変換する検波手段と、
前記検波信号に対してシンボル同期を行うことにより、シンボルクロックを再生するシンボルクロック再生手段と、
再生した前記シンボルクロックの周波数成分を求めることにより、前記受信信号のシンボルレートを測定するシンボルレート測定手段と、
既知のデジタル無線局のシンボルレートが変調方式と関連付けて一又は二以上登録されているデータベースと、
前記データベースから得た既知のシンボルレート及び変調方式と、前記シンボルレート測定手段で測定したシンボルレートと前記変調方式識別手段で識別した変調方式の２つの合致度を演算して前記送信元のデジタル無線局を同定する識別手段と
を有することを特徴とするデジタル無線局識別装置。
【請求項７】
前記識別手段は、前記シンボルレート測定手段で測定したシンボルレートと前記変調方式識別手段で識別した変調方式とが、前記データベースから関連付けて得られる既知のシンボルレート及び変調方式の中に存在しない時は、前記シンボルレート測定手段が測定したシンボルレートと前記変調方式識別手段が識別した変調方式とを関連付けて前記データベースに登録させることを特徴とする請求項６記載のデジタル無線局識別装置。
【発明の詳細な説明】
【技術分野】
【０００１】
本発明はデジタル無線局識別方法及びデジタル無線局識別装置に係り、特に電波監視装置における不法デジタル無線局の監視などを行うデジタル無線局識別方法及びデジタル無線局識別装置に関する。
【背景技術】
【０００２】
従来、違法な無線機の特定には、監視者が違法な電波を出力している無線機の現場に行って、その場で違法な電波を出力しているかどうかを調べる必要があり、多大な労力を必要としていた。このため、効率良く電波を監視する方法として、多くの無線信号の中から自動的に特定の無線局を識別する装置が求められている。
【０００３】
従来は、多くの無線信号の中から自動的に特定の無線局を識別するために、復調処理や方位測定処理を活用して、監視者が受信信号の復調音声から話者の特徴を捉えて識別する方法や、監視者が無線局の発射源位置の同一性から識別する方法が一般的に用いられている。また、無線局の送信立ち上がり時の周波数揺らぎを用いて無線局を識別する方法も知られている。
【０００４】
更に、デジタルスペクトラムアナライザを利用して無線機の特徴ベクトルを抽出する無線機同定装置が従来知られている（例えば、特許文献１参照）。この特許文献１記載の無線機同定装置では、デジタルスペクトラムアナライザによって周波数スペクトラムを求め、この周波数スペクトラムデータから演算手段（コンピュータなど）を用いて中心周波数の変化、すなわち特徴ベクトルを求め、これと既知の無線機の特徴ベクトルとの合致度を求めることにより、無線機を同定する。
【０００５】
なお、入力指定された宛先電話番号に回線を介して発呼して接続された受信側装置に対して、少なくとも所定の通信規格に規定された複数段階のシンボルレートのうちの自装置が使用可能なシンボルレートの組合せ情報を通知して、その通知したシンボルレートの組合せ情報と接続された回線の特性とに基づいて受信側装置が決定したシンボルレート及びビットレートで通信を行うファクシミリ装置等の通信端末装置において、各宛先電話番号のそれぞれについて、自装置が本来使用可能なシンボルレートの組合せを構成する各シンボルレートのうち選択されて設定された、制限されたシンボルレートの組合せを対応付けて記憶したテーブルを有し、発呼の際に宛先電話番号が入力指定されると、上記のテーブルを参照して入力指定された宛先電話番号がシンボルレートが制限されたものであるか否かを確認し、制限されたものである場合には、対応する制限されたシンボルレートの組合せを発呼して回線接続された受信側装置に対して、自装置が使用可能なシンボルレートの組合せ情報として通知して通信を行う通信端末装置が知られている（例えば、特許文献２参照）。この通信端末装置では、シンボルレートを受信側通信端末装置の識別に利用して最適な設定で通信を行う。
【０００６】
【特許文献１】特開平０９−２１１０３９号公報
【特許文献２】特開２０００−１５１９６６号公報
【発明の開示】
【発明が解決しようとする課題】
【０００７】
しかしながら、監視者が受信信号の復調音声から話者の特徴を捉えてデジタル無線局を識別する方法や、監視者が無線局の発射源位置の同一性からデジタル無線局を識別する従来の方法では、デジタル無線局の識別を監視者が判断する必要があるため、監視者が通話内容を聞き続けたり、発射源位置を追い続けたりするなど多大な負荷がかかることと、識別結果が監視者の話者の特徴を捉える能力に依存するため、監視者によって識別結果が異なってしまうという問題がある。
【０００８】
また、通話音声を用いた識別方法では、近年普及が進んでいるデジタル無線機に対して音声復調を行うために目的のデジタル無線機が使用しているプロトコル毎に復調処理を備える必要があるという問題と、通信プロトコルが不明で音声復調が困難なデジタル無線機に対して適用が困難であるという問題がある。
【０００９】
また、監視者が無線局の発射源位置の同一性からデジタル無線局を識別する従来の識別方法では、予め複数の位置に方位測定機能を備えた装置を設置しておき、測定された方位線の交点から発射源位置を求めるため、多くの装置が必要で装置構成が高価になるという問題と、発射源が移動する無線局（移動局）に対しては適用が困難であるという問題がある。
【００１０】
更に、特許文献１記載の無線機同定装置では、無線局の送信立ち上がり時の周波数揺らぎを用いてデジタル無線局を識別する方法が記載されているが、デジタル無線局の通信途中からは識別を開始できず次の送信立ち上がりを待つ必要があり、特に長時間連続通信を行うデジタル無線局に対して、素早くデジタル無線局を識別できないおそれがあるという問題がある。また、この特許文献１記載の無線機同定装置では、通信の途中から識別を開始できないという問題の他に、多くの装置が必要で装置構成が高価であるという問題と、装置間をつなぐケーブル等が必要なため携帯性に乏しいという問題がある。
【００１１】
また、更に、特許文献２記載の通信端末装置は、送信側と受信側とで情報をやり取りして、受信側から通信可能なシンボルレート情報を送る必要があり、またシンボルレートから一意に識別番号に相当する送信局（送信側端末装置）を識別することができない。
【００１２】
本発明は以上の点に鑑みなされたもので、送受信間の事前の情報交換を行うことなく、通信プロトコルが不明で音声復調が困難なデジタル無線機に対しても、シンボルレートから一意に送信デジタル無線局を識別し得るデジタル無線局識別方法及びデジタル無線局識別装置を提供することを目的とする。
【００１３】
また、本発明の他の目的は、長時間連続通信を行うデジタル無線局に対しても、素早くデジタル無線局を識別できるデジタル無線局識別方法及びデジタル無線局識別装置を提供することにある。
【００１４】
また、本発明の他の目的は、携帯性に優れたデジタル無線局識別装置を提供することにある。
【００１５】
更に、本発明の他の目的は、識別結果が監視者に依存しないデジタル無線局識別方法及びデジタル無線局識別装置を提供することにある。
【００１６】
また、更に、本発明の他の目的は、移動局に対しても適用可能なデジタル無線局識別方法及びデジタル無線局識別装置を提供することにある。
【課題を解決するための手段】
【００１７】
上記の目的を達成するため、第１の発明は無線信号を受信して得られる受信信号の送信元のデジタル無線局を識別するデジタル無線局識別方法において、受信信号をＡ／Ｄ変換してデジタル複素包絡信号を生成する第１のステップと、デジタル複素包絡信号を検波して検波信号に変換する第２のステップと、検波信号に対してシンボル同期を行うことにより、シンボルクロックを再生する第３のステップと、再生したシンボルクロックの周波数成分を求めることにより、受信信号のシンボルレートを測定する第４のステップと、既知のデジタル無線局のシンボルレートが一又は二以上登録されているデータベースから得た既知のシンボルレートと、第４のステップで測定したシンボルレートとの合致度を演算して送信元のデジタル無線局を同定する第５のステップとを含むことを特徴とする。
【００１８】
この発明では、デジタル無線機の同定にシンボルレートを用いているため、通信プロトコルの解明や音声デコード処理を行わなくても識別できると共に、監視者が各自の経験などから無線機を識別する必要はなく、また、送信立ち上がり情報を使わずにデジタル無線機の識別ができ、更に発振源位置を識別情報として使用することなくデジタル無線機を識別できる。
【００１９】
ここで、上記の第４のステップで測定したシンボルレートがデータベースに登録されていないときは、該測定したシンボルレートをデータベースに登録する第６のステップを含むでもよい。
【００２０】
また、上記の目的を達成するため、第３の発明は無線信号を受信して得られる受信信号の送信元のデジタル無線局を識別するデジタル無線局識別方法において、受信信号をＡ／Ｄ変換してデジタル複素包絡信号を生成する第１のステップと、デジタル複素包絡信号の変調方式を識別する第２のステップと、デジタル複素包絡信号を第２のステップで識別した変調方式に対応した検波方式で検波して検波信号に変換する第２のステップと、検波信号に対してシンボル同期を行うことにより、シンボルクロックを再生する第４のステップと、再生したシンボルクロックの周波数成分を求めることにより、受信信号のシンボルレートを測定する第５のステップと、既知のデジタル無線局のシンボルレートが変調方式と関連付けて一又は二以上登録されているデータベースから得た既知のシンボルレート及び変調方式と、第５のステップで測定したシンボルレートと第２のステップで識別した変調方式の２つの合致度を演算して送信元のデジタル無線局を同定する第６のステップとを含むことを特徴とする。
【００２１】
この発明では、既知のデジタル無線局のシンボルレートが変調方式と関連付けて一又は二以上登録されているデータベースから得た既知のシンボルレート及び変調方式と、第５のステップで測定したシンボルレートと第２のステップで識別した変調方式の２つの合致度を演算して送信元のデジタル無線局を同定する。
【００２２】
また、上記の目的を達成するため、第４の発明は、無線信号を受信して得られる受信信号の送信元のデジタル無線局を識別するデジタル無線局識別装置において、受信信号をＡ／Ｄ変換してデジタル複素包絡信号を生成するＡ／Ｄ変換手段と、デジタル複素包絡信号を検波して検波信号に変換する検波手段と、検波信号に対してシンボル同期を行うことにより、シンボルクロックを再生するシンボルクロック再生手段と、再生したシンボルクロックの周波数成分を求めることにより、受信信号のシンボルレートを測定するシンボルレート測定手段と、既知のデジタル無線局のシンボルレートが一又は二以上登録されているデータベースと、データベースから得た既知のシンボルレートと、シンボルレート測定手段で測定したシンボルレートとの合致度を演算して送信元のデジタル無線局を同定する識別手段とを有することを特徴とする。この発明では、第１の発明と同様の作用が得られる。
【００２３】
ここで、上記の識別手段は、シンボルレート測定手段で測定したシンボルレートがデータベースから得られる既知のシンボルレートの中に存在しない時は、シンボルレート測定手段が測定したシンボルレートをデータベースに登録させる構成であってもよい。
【００２４】
また、上記の目的を達成するため、第６の発明は、無線信号を受信して得られる受信信号の送信元のデジタル無線局を識別するデジタル無線局識別装置において、受信信号をＡ／Ｄ変換してデジタル複素包絡信号を生成するＡ／Ｄ変換手段と、デジタル複素包絡信号の変調方式を識別する変調方式識別手段と、デジタル複素包絡信号を変調方式識別手段で識別した変調方式に対応した検波方式で検波して検波信号に変換する検波手段と、検波信号に対してシンボル同期を行うことにより、シンボルクロックを再生するシンボルクロック再生手段と、再生したシンボルクロックの周波数成分を求めることにより、受信信号のシンボルレートを測定するシンボルレート測定手段と、既知のデジタル無線局のシンボルレートが変調方式と関連付けて一又は二以上登録されているデータベースと、データベースから得た既知のシンボルレート及び変調方式と、シンボルレート測定手段で測定したシンボルレートと変調方式識別手段で識別した変調方式の２つの合致度を演算して送信元のデジタル無線局を同定する識別手段とを有することを特徴とする。
【００２５】
ここで、上記の第６の発明の識別手段は、シンボルレート測定手段で測定したシンボルレートと変調方式識別手段で識別した変調方式とが、データベースから関連付けて得られる既知のシンボルレート及び変調方式の中に存在しない時は、シンボルレート測定手段が測定したシンボルレートと変調方式識別手段が識別した変調方式とを関連付けてデータベースに登録させる構成であってもよい。
【発明の効果】
【００２６】
本発明によれば、以下の効果を有するものである。
【００２７】
（１）シンボルレートを用いてデジタル無線局を識別するため、通信プロトコルの解明や音声デコード処理を行わなくても識別でき、よって通信プロトコルが不明であったり、音声復調が困難なデジタル無線局でも識別ができる。
【００２８】
（２）送信立ち上がり時の周波数揺らぎを使用しないため、通信中であっても識別を開始することができ、リアルタイム性に優れる。
【００２９】
（３）本発明は一般的な携帯用の小型コンピュータに予め備わっている機能で大部分を構成し、かつ、小型のＡ／Ｄ変換器を付加するだけで本発明を構成できるため、携帯性に優れた装置を構成できる。
【００３０】
（４）デジタル無線局に固有のシンボルレートを用いて自動的に識別を行うため、監視者が各自の経験などからデジタル無線局を識別する必要がなく、よって、識別結果が監視者の能力に依存せず、常にデジタル無線局の客観的な識別ができる。
【００３１】
（５）発振源位置を識別情報として使用しないため、識別対象のデジタル無線局として移動局に対しても適用可能である。
【００３２】
（６）既知のデジタル無線局のシンボルレートが変調方式と関連付けて一又は二以上登録されているデータベースから得た既知のシンボルレート及び変調方式と、受信信号から測定したシンボルレート及び受信信号から識別した変調方式の２つの合致度を演算して送信元のデジタル無線局を同定するようにした場合は、より識別性を向上できる。
【発明を実施するための最良の形態】
【００３３】
次に、本発明の実施の形態について図面と共に説明する。図１は本発明になるデジタル無線局識別装置の第１の実施の形態のブロック図を示す。図１において、第１の実施の形態のデジタル無線局識別装置１は、アンテナ２を備えた受信機３に接続されており、Ａ／Ｄ変換器４、検波器５、シンボルクロック再生器６、シンボルレート測定器７、シンボルレートデータベース（ＤＢ）８、及び識別器９を含んで構成される。ここで、検波器５、シンボルクロック再生器６、シンボルレート測定器７、シンボルレートＤＢ８、識別器９は、一般的な小型コンピュータに予め備わっている機能で構成できる。従って、本実施の形態では、小型コンピュータに小型のＡ／Ｄ変換器４を付加するだけでよく、携帯性に優れた小型の構成にできる。
【００３４】
受信機３は、アンテナ２で受信した受信信号を中間周波数（ＩＦ）にダウンコンバートしたＩＦ信号に変換する。Ａ／Ｄ変換器４は、この中間周波数信号をデジタル複素包絡信号に変換する。検波器５は、デジタル複素包絡信号に対して検波を行い、検波信号に変換する。検波とは具体的に、受信信号がＡＳＫ変調ならば受信信号の包絡線を、ＦＳＫ変調ならば受信信号の周波数を、ＰＳＫ変調ならば受信信号の位相を求めることである。
【００３５】
シンボルクロック再生器６は、検波信号からデジタル信号のシンボル同期を行ってシンボルクロックを再生する。求めたシンボルクロックは送信機内部の発振回路に依存する、その送信機固有の値である。シンボルレート測定器７は、再生したシンボルクロックの周波数成分からシンボルレートを求める。シンボルレートＤＢ８は、求めたシンボルレートに対して保存・更新・削除・参照・抽出などの処理を行う。識別器９はシンボルレートＤＢ８に保存されている既知の無線機のシンボルレートと、シンボルレート測定器７から転送された未知のシンボルレートとの合致度を演算し、その演算結果からデジタル無線機を識別する。
【００３６】
なお無線局とは「無線設備及び無線従事者の総体」のことであるが、一般に１台の無線機は１人の無線従事者が使用すると想定されるため、無線機を識別することができれば無線局を識別することができる。
【００３７】
デジタル無線機のシンボルクロックは、無線機内部の発振回路から生成するが、発振回路は一定の範囲内で発振周波数にばらつきが存在する。このため設計上のシンボルクロックが同一であっても実際のシンボルクロックは無線機毎に異なり、このシンボルクロック周波数、すなわちシンボルレートを測定することにより、デジタル無線機を識別することができる。
【００３８】
例えば、発振源としてよく使用される水晶発振器の場合、発振周波数に１０−５程度ばらつきを持っている。このため設計上のシンボルレートが１Ｍｂｐｓであっても、実際のシンボルレートは１Ｍｂｐｓを中心に１０ｂｐｓ程度の範囲内で無線機毎に異なる値を示す。従って、シンボルレートを精度良く計測することにより、デジタル無線機を識別することが可能である。
【００３９】
次に、図１の本実施の形態のデジタル無線局識別装置の動作について、図３のフローチャートを参照して説明する。Ａ／Ｄ変換器４は、受信機３から入力された中間周波数信号（ＩＦ信号）をデジタル複素包絡信号に変換する（ステップＳ１）。Ａ／Ｄ変換器４から出力されたデジタル複素包絡信号は、検波器５に供給されて検波処理されることにより検波信号に変換される（ステップＳ２）。この検波信号はシンボルクロック再生器６に供給され、ここでシンボル同期を行うことにより、受信機３で受信している信号を送信しているデジタル無線局内の送信機固有のシンボルクロックが再生される（ステップＳ３）。
【００４０】
シンボルレート測定器７は、シンボルクロック再生器６で再生されたシンボルクロックの周波数成分を求めることにより、受信信号のシンボルレートを測定する（ステップＳ４）。続いて、測定したシンボルレートを新たな特徴として登録するか、もしくは予め登録されている既知の複数の無線機の何れであるか識別するかを選択する（ステップＳ５）。この選択は識別者が選択する方法と、自動的に選択する方法とがある。自動的に選択する場合は、シンボルレートの測定結果がシンボルレートＤＢ８に登録されていない新規な場合に登録を選択し、それ以外は識別を選択する。識別者が選択する場合は、図１では図示を省略した入力部からの選択信号に基づいて選択する。
【００４１】
新規登録を選択した場合は、シンボルレート測定器７は、シンボルレートＤＢ８に測定した新たなシンボルレートを転送し、シンボルレートＤＢ８は、このシンボルレートをＤＢに保存する（ステップＳ６）。
【００４２】
無線機の識別を選択した場合は、シンボルレート測定器７は、識別器９に測定したシンボルレートを転送し、識別器９はシンボルレートＤＢ８に保存されている既知の無線機のシンボルレートと、シンボルレート測定器７から転送された未知の無線機のシンボルレートの合致度を演算し、無線機を同定する（ステップＳ７）。すなわち、識別器９はシンボルレートＤＢ８に保存されている既知の無線機のシンボルレートと、シンボルレート測定器７から転送された未知の無線機のシンボルレートの差を計算し、その値が閾値以下であれば（言い換えれば、殆ど同じ値であれば）、受信信号の送信元のデジタル無線機は、シンボルレートの差が閾値以下であるシンボルレートのシンボルレートＤＢ８に保存されている既知の無線機と同一であると判断する。シンボルレートが略同じということは、無線機の発信源（例えば水晶発振器）が同じであるということであり、工学上でこのような同じ発信源を別途作ることは非常に困難であることから、デジタル無線機の同定ができるのである。
【００４３】
このように、本実施の形態では、デジタル無線機の特徴としてシンボルレートを用いているため、通信プロトコルの解明や音声デコード処理を行わなくても識別でき、その結果、通信プロトコルが不明で音声復調が困難なデジタル無線機に対しても識別が可能となる。また、本実施の形態では、送信立ち上がり情報を使わないので、通信中の信号に対しても識別を行うことができるため、リアルタイム性に優れており、また、装置が携帯性に優れ、また、デジタル無線機に固有のシンボルレートを用いて自動的に識別を行うため、監視者が各自の経験などから無線機を識別する必要はなく、よって識別結果が監視者に依存しない。更に、本実施の形態によれば、発振源位置を識別情報として使用しないため、移動局に対しても適用可能である。
【００４４】
次に、本発明の第２の実施の形態について説明する。図２は本発明になるデジタル無線局識別装置の第２の実施の形態のブロック図を示す。同図中、図１と同一構成部分には同一符号を付し、その説明を省略する。本実施の形態のデジタル無線局識別装置１０は、図１の第１の実施の形態の構成に、変調方式自動識別器１１が追加され、検波器５と接続されている点に特徴がある。
【００４５】
変調方式自動識別器１１自体の構成は公知であり、例えば特開２００１−０８６１７１号公報に開示されているものを使用することができる。この特開２００１−０８６１７１号公報に開示されている変調方式自動識別器は、受信信号から予め定められた特徴（包絡線変動特性、シンボルクロック、スペクトラム波形など）を抽出及び分析して受信信号の変調方式がアナログ変調方式（ＡＭ変調方式、ＦＭ変調方式など）、デジタル変調方式（線形変調方式、非線形変調方式など）のいずれであるかを識別する変調方式識別手段を有している。
【００４６】
変調方式自動識別器１１は受信信号の変調方式を自動的に判定することができるため、検波器５が自動的に適切な検波方法を選択することが可能となる。更に、変調方式が異なる信号は、別のデジタル無線機からの送信信号と考えることができるため、前述のシンボルレートと変調方式を関連付けてシンボルレートＤＢ８に保存し、識別器１２において無線局の識別を行う際に、シンボルレートと変調方式の２つの合致度を用いて識別を行う。これにより、本実施の形態によれば、デジタル無線局に対する識別性能向上という効果も得ることができる。なお、受信信号の自動識別した変調方式と測定したシンボルレートとの組と同一の組がシンボルレートＤＢ８に登録されていない時には新たに登録する。
【００４７】
なお、本発明は以上の実施の形態に限定されるものではなく、例えば、図１の構成及び図３のフローチャートによる動作や、図２の構成をコンピュータのソフトウェア動作により実行させるコンピュータプログラムも包含するものである。
【図面の簡単な説明】
【００４８】
【図１】本発明のデジタル無線局識別装置の第１の実施の形態のブロック図である。
【図２】本発明のデジタル無線局識別装置の第２の実施の形態のブロック図である。
【図３】図１によるデジタル無線局識別方法の説明用フローチャートである。
【符号の説明】
【００４９】
１、１０  デジタル無線局識別装置
３  受信機
４  Ａ／Ｄ変換器
５  検波器
６  シンボルクロック再生器
７  シンボルレート測定器
８  シンボルレートＤＢ（データベース）
９、１２  識別器
１１  変調方式自動識別器
【図１】
2008131220.tif 000003
【図２】
2008131220.tif 000004
【図３】
2008131220.tif 000005